(57)【要約】【課題】  降雨時の換気が可能でありだけでなく、より多くの換気ができ開放感も得られる開口が可能な天窓を提供すること。【解決手段】  可動枠３が固定枠２にシールされた全閉状態から、駆動伝達ブラケット４を介してモータＭの駆動力をチルト用リンク９へ伝達させてチルト用リンク９を起こすことにより、可動枠３の棟側に設けた回動支持リンク１１の支点（１１−１）を回動中心として可動枠３の軒側を持ち上げて換気可能としたチルト開口状態と、チルト開口状態から、更に駆動伝達ブラケット４を軒側にスライド移動させて、チルト用リンク９へのモータＭの駆動力の伝達を解除するとともに、駆動伝達ブラケット４を介してモータＭの駆動力を回動支持リンク１１へ伝達させることにより、可動枠３をスライド移動させてチルト開口状態よりも大きな開口量としたスライド開口状態とに開口可能となる構成としたことを特徴とする。【選択図】  図４
2007284938.tif 000002
【特許請求の範囲】
【請求項１】
屋根の開口部に取り付けられる固定枠と、この固定枠に開閉自在に設けられた可動枠とを備える天窓において、
可動枠が固定枠にシールされた全閉状態から、可動枠の軒側を持ち上げて換気可能としたチルト開口状態と、
チルト開口状態から、可動枠をスライド移動させてチルト開口状態よりも大きな開口量としたスライド開口状態とに開口可能となる構成としたことを特徴とする天窓。
【請求項２】
屋根の開口部に取り付けられる固定枠と、この固定枠に開閉自在に設けられた可動枠とを備える天窓において、
可動枠が固定枠にシールされた全閉状態から、駆動伝達ブラケットを介してモータ駆動力をチルト用リンクへ伝達させ、駆動伝達ブラケットを軒側にスライド移動させてチルト用リンクを起こすことにより、可動枠の棟側に設けた回動支持リンクの支点を回動中心として可動枠の軒側を持ち上げて換気可能としたチルト開口状態と、
チルト開口状態から、更に駆動伝達ブラケットを軒側にスライド移動させて、チルト用リンクへのモータ駆動力の伝達を解除するとともに、駆動伝達ブラケットを介してモータ駆動力を回動支持リンクへ伝達させることにより、可動枠をスライド移動させてチルト開口状態よりも大きな開口量としたスライド開口状態とに開口可能となる構成としたことを特徴とする天窓。
【発明の詳細な説明】
【技術分野】
【０００１】
本発明は、家屋や住宅等の建物の屋根に取り付けられる開閉自在な天窓に関する。
【背景技術】
【０００２】
従来の天窓には、開閉できないＦＩＸタイプのものや、チルト開閉のみ可能なチルト開閉タイプ、スライド開閉のみ可能なスライド開閉タイプ、中軸で回転する中軸回転タイプ、などのものが存在する（例えば、特許文献１及び２参照）。
天窓を設置する目的として採光性向上があるが、それに加え換気も行えるものを求める声もあり、このようなさまざまなタイプの天窓が存在する。
【特許文献１】特開平１１−１１７４７２
【特許文献２】特開平５−２８０１６４
【発明の開示】
【発明が解決しようとする課題】
【０００３】
しかしながら、上記した従来技術では、ＦＩＸタイプは、開閉できないため当然のごとく外気は取り込めない。チルト開閉タイプは、チルト開閉時に外気を取り込め、ひさしの役目も果たせるため室内へ雨等の異物は浸入しにくいが、さらなる開放性や換気を得ることは困難である。スライド開閉タイプはチルト開閉タイプより大きな開口を得られるため、開放性や換気を得ることができるが、ひさし効果が得られないため室内への雨等の異物侵入の恐れがある。これは中軸回転タイプでも同様のことが言える。
【０００４】
以上より、従来の天窓においては、様々な状況におけるユーザーが欲しいときの欲しい開口量を得られないといった問題があった。
それゆえ、本発明は、以上の事情を背景になされたものであり、降雨時の換気が可能でありだけでなく、より多くの換気ができ開放感も得られる開口が可能な天窓を提供することを技術的課題とする。
【課題を解決するための手段】
【０００５】
上記した技術的課題を解決するため、本発明は、屋根（１）の開口部に取り付けられる固定枠（２）と、この固定枠（２）に開閉自在に設けられた可動枠（３）とを備える天窓において、可動枠（３）が固定枠（２）にシールされた全閉状態から、可動枠（３）の軒側を持ち上げて換気可能としたチルト開口状態と、チルト開口状態から、可動枠（３）をスライド移動させてチルト開口状態よりも大きな開口量としたスライド開口状態とに開口可能となる構成としたことを特徴とする天窓とした。
【０００６】
本発明に係る天窓によれば、チルト開口状態で、チルトした可動障子（可動枠３）がひさしの役目を果たし、室内への雨等の異物侵入を防止しながら換気できるというチルト状態の利点が実現化できる。さらに、スライド開口状態では、より大きな開口量を得ることができる。
【０００７】
また、本発明は、屋根（１）の開口部に取り付けられる固定枠（２）と、この固定枠（２）に開閉自在に設けられた可動枠（３）とを備える天窓において、可動枠（３）が固定枠（２）にシールされた全閉状態から、駆動伝達ブラケット（４）を介してモータ（Ｍ）駆動力をチルト用リンク（９）へ伝達させ、駆動伝達ブラケット（４）を軒側にスライド移動させてチルト用リンク（９）を起こすことにより、可動枠（３）の棟側に設けた回動支持リンク（１１）の支点（１１−１）を回動中心として可動枠（３）の軒側を持ち上げて換気可能としたチルト開口状態と、チルト開口状態から、更に駆動伝達ブラケット（４）を軒側にスライド移動させて、チルト用リンク（９）へのモータ（Ｍ）駆動力の伝達を解除するとともに、駆動伝達ブラケット（４）を介してモータ（Ｍ）駆動力を回動支持リンク（１１）へ伝達させることにより、可動枠（３）をスライド移動させてチルト開口状態よりも大きな開口量としたスライド開口状態とに開口可能となる構成としたことを特徴とする天窓とした。
【０００８】
モータ（Ｍ）駆動力を駆動伝達ブラケット（４）を介して伝達させ、その伝達先をチルト用リンク（９）と回動支持リンク（１１）とに切り替えることにより、チルト開口状態もスライド開口状態も、駆動伝達ブラケット（４）を軒側にスライド移動させることで開口可能となるため、異なる２つの開口状態に開口可能であるにもかかわらず、１つのモータ（Ｍ）のみで制御することができる。
【発明の効果】
【０００９】
本発明によれば、従来の開閉方法では得られなかったその場その場でユーザーが求める開口パターンや開口量を得られ、換気性向上と開放性確保を同時に得ることが可能となる。
【発明を実施するための最良の形態】
【００１０】
以下、本発明の実施の形態を、図面を用いて説明する。
図１〜３は、本発明の一実施形態に係る天窓を示す斜視図であり、図１は全閉状態、図２はチルト開口状態、図３はスライド開口状態を示している。図４（ａ）は全閉状態における側面視であり、図４（ｂ）〜（ｄ）は各状態における機能部品のみを示した側面視である。図５（ａ）は全閉状態の図４（ｂ）の部分拡大図であり、図５（ｂ）はチルト開口状態の図４（ｃ）の部分拡大図である。図６は固定枠２の両サイドに位置する縦枠８を上側から見た部分拡大図であり、図７は縦枠８の部分拡大斜視図である。
【００１１】
固定枠２は屋根１の開口部に取り付けられており、可動枠３は固定枠２に開閉自在に取り付けられている。図１に示すような天窓の全閉状態では、可動枠３と固定枠２とが、ゴムパッキン等のシール部材で水密的にシールされている。可動枠３にはガラスが嵌め込まれており、全閉状態であっても採光可能な可動障子となっている。
【００１２】
全閉状態からモータＭを正方向に駆動させると、モータＭから出力される駆動力がギヤードケーブル１２−１、１２−２を介して駆動伝達ブラケット４へ伝達し動作させる。このとき駆動伝達ブラケット４は、屋根１の軒側にスライド移動する。駆動伝達ブラケット４は、ギヤードケーブル１２−１、１２−２の先端に接続されており、固定枠２の両サイドに位置する縦枠８の内部を、屋根１の傾斜方向に平行な方向でスライド移動可能となっている。
【００１３】
図５（ａ）に示すように、駆動伝達ブラケット４の側面に設けられたピン４−１がチェック５の溝５−１内部の棟側上部を引っ掛けることにより、チェック５が駆動伝達ブラケット４といっしょに軒側へスライド移動する。チェック５は、屋根１の傾斜方向に伸びる部材であり、チェック５に形成された溝５−１は、傾斜方向に長い略Ｌ字形状となっている。
チェック５の軒側端末に形成された溝５−２には、チルト用カム６のピン６−１が引っ掛かっており、このチェック５のスライド移動に伴い、スライド用カム６も軒側へスライド移動する。
【００１４】
また同時に、駆動伝達ブラケット４の下面に設けられたピン４−２は、スライド用カム７の溝７−１内部を案内されてスライド移動する。このときスライド用カム７は、図６に示すように、スライド用カム７の板バネ７−２のバネ力により、縦枠８の切り欠き８−１から突起部７−３を逃がし、駆動伝達ブラケット４のピン４−２がスライド用カム７の溝７−１に引っ掛からない角度となっている。すなわち、この状態ではスライド用カム７には駆動力が伝達されることはなく、スライド移動しない。
【００１５】
スライド用カム７の溝７−１は、駆動伝達ブラケット４のピン４−２がチルト動作完了と同タイミングで引っ掛かるように略Ｌ字状にカーブして形成されている。
スライド用カム７の棟側端部には、回動支持リンク１１の下面に設けられたピン１１−２が組み付けられており、スライド用カム７は、ピン１１−２を回動中心として回動可能となっている。
【００１６】
図５（ａ）に示すように、チルト用カム６には円弧形状の溝６−２が形成されており、この溝６−２の内部をチルト用リンク９の略中間位置側面に設けられたピン９−１が案内されて通る構造となっている。
チルト用リンク９の一方の端部は、縦枠８に回動可能に取り付けられており、他方の端部側面にはピン９−２が設けられ、このピン９−２はスライドガイド１０の溝１０−１内部を案内されて通る構造となっている。スライドガイド１０は、可動枠３の内部に設けられている。
【００１７】
図５（ｂ）に示すように、チルト用カム６が軒側へスライド移動することにより、ピン９−１が溝６−２内部の右上方に案内されてガイドされるようにして、チルト用リンク９が上方に回動して起こされる。このとき、チルト用リンク９のピン９−２が、スライドガイド１０の溝１０−１を介して可動枠３を押し上げ、スライドガイド１０の棟側端末に設置される回動支持リンク１１のピン１１−１を回動中心として、チルト開口状態が実現される。
【００１８】
図５に示すように、チェック５の棟側端部には板バネ５−３が設けられており、全閉状態では回動支持リンク１１の下端で拘束されているが、チルト開口状態ではチェック５が軒側へスライド移動するので、板バネ５−３が回動支持リンク１１の下端から開放される。その結果、板バネ５−３が縦枠８内部の床面を反発して、チェック５の棟側端部を上方に付勢する力が働く。
【００１９】
チルト開口状態への動作完了のタイミングで、図７に示すように、板バネ５−３によりチェック５の突起部５−４が縦枠８の切り欠き８−２から押し上げられる。その結果、図５（ｂ）に示すように、駆動伝達ブラケット４のピン４−１がチェック５の溝５−１内部の棟側上部に引っ掛からなくなり、ピン４−１は溝５−１内部を案内されてスライド移動することとなり、チェック５にモータＭの駆動力が伝達されなくなる。
【００２０】
さらに、チルト開口状態への動作完了のタイミングでは、図６（ｂ）に示すように、駆動伝達ブラケット４のピン４−２が、スライド用カム７の溝７−１の軒側でカーブしている部位に引っ掛かり、スライド用カム７の突起部７−３を板バネ７−２の付勢力に反して縦枠８の切り欠き８−１から引っ込めて、図７（ｃ）に示すような状態となる。
【００２１】
このとき、図２に示すようなチルト開口が完了した状態となり、チルト状態を維持したままスライド動作へ移行する状態となる。
またこのとき、可動枠３の自重によりチルト用リンク９を倒そうとする力が働くが、チェック５の突起部５−４が縦枠８切り欠き８−２内部の棟側に引っ掛かることにより、チルト用リンク９の倒れ防止となる。
【００２２】
チルト開口状態から、さらにモータＭを正方向へ駆動させ、駆動伝達ブラケット４を軒側へスライド移動させると、チェック５には駆動力が伝達されず、スライド用カム７にのみ駆動力が伝達される。スライド用カム７には回動支持リンク１１のピン１１−２が組み付けられているので、スライド用カム７を介して回動支持リンク１１を引っ張ることにより、可動枠３が軒側へスライド移動する。
【００２３】
このとき、チルト用リンク９のピン９−１は、スライドガイド１０の溝１０−１内部の棟側へ案内され、また、ピン４−１は、チェック５の溝５−１内部の軒側へ案内されることとなり、スライド移動が停止すると、図３に示すようなスライド開口が完了した状態、すなわち全開状態となり、開動作が終了となる。
【００２４】
以上が、開動作の概要であるが、閉動作については、基本的には上記の開動作
の逆の動作が行われる。すなわち、スライド開口状態において、モータＭを負方向に駆動させて駆動伝達ブラケット４を棟側へスライド移動させると、ピン４−１がスライド用カム７の溝７−１内部の軒側で引っ掛かるので、駆動力がスライド用カム７を介して回動支持リンク１１へ伝達され、可動枠３が棟側へスライド移動する。
【００２５】
可動枠３が棟側へスライド移動して図２に示すようなチルト開口状態になると、スライド用カム７が図６（ｂ）に示すような状態から板バネ７−２の付勢力でピン１１−２を中心として回動し、突起部７−３が切り欠き部８−１から飛び出した図７（ｂ）に示すような状態となる。すなわち、駆動力が、スライド用カム７に伝達されなくなる。
【００２６】
それと同時に、ピン４−２がチェック５の溝５−１内部の棟側へ突き当たると、溝５−１内部の棟側端部が上方へカーブしているため、チェック５の棟側が下方へ下がり、突起部５−４が縦枠８の切り欠き８−２から引っ込んだ図７（ａ）に示すような状態となる。このとき、ピン４−２は溝５−１の棟側上方で突き当たり、駆動力がチェック５に伝達されることとなる。
【００２７】
チルト開口状態から、さらに駆動伝達ブラケット４を棟側へスライド移動させると、チェック５を介してチルト用カム６も棟側へスライド移動し、連動してチルト用リンク９が回動して倒れる。その結果、図１や図５（ａ）に示すような全閉状態となり、閉動作が終了する。
【図面の簡単な説明】
【００２８】
【図１】本発明の一実施形態に係る天窓の全閉状態を示す斜視図である。
【図２】チルト開口状態を示す斜視図である。
【図３】スライド開口状態を示す斜視図である。
【図４】各状態における側面図である。
【図５】図４の部分拡大図である。
【図６】縦枠８を上側から見た部分拡大図である。
【図７】縦枠８の部分拡大斜視図である。
【符号の説明】
【００２９】
１    屋根
２    固定枠
３    可動枠
４    駆動伝達ブラケット
５    チェック
６    チルト用カム
７    スライド用カム
８    縦枠
９    チルト用リンク
１０    スライドガイド
１１    回動支持リンク
１１−１    ピン（支点）
Ｍ    モータ
【図１】
2007284938.tif 000003
【図２】
2007284938.tif 000004
【図３】
2007284938.tif 000005
【図４】
2007284938.tif 000006
【図５】
2007284938.tif 000007
【図６】
2007284938.tif 000008
【図７】
2007284938.tif 000009